(57)【要約】      （修正有）【課題】長期備蓄に馴染まない次亜塩素酸又は亜塩素酸水溶液を二液混合型として分離保存し、長期取扱いが可能で、二液混合時の塩素ガス発生問題も解消できる二液混合型次亜塩素酸又は亜塩素酸水溶液容器を提供する。【解決手段】端部に開閉可能な栓部材を備え、外部を遮光性シートで形成した合成樹脂製袋材を混合容器として用意し、混合時に発生する塩素ガスを閉込め、吸収して回収できるようにし、対向する中央部合成樹脂製内壁を上部から下部に渡って帯状に接合して分離壁とし、分離壁を挟んで左右に第１および第２区分室を形成し、混合される二液を分離して収納し、遮光状態で長期保存を可能とする。分離壁は外部から袋を押圧して分離壁の接合を解除して二液を一つの収納袋内で混合すると、使用直前に少量の、５０ｐｐｍから１万ｐｐｍの次亜塩素酸又は亜塩素酸水溶液が作成され、発生する塩素ガスを容器内で次亜塩素酸又は亜塩素酸水溶液に吸収させる。【選択図】図１
2018070259.tif 000002
【特許請求の範囲】
【請求項１】
端部に開閉可能な栓部材を備え、外層に紫外光等を遮蔽する光遮蔽シートを備える方形の合成樹脂製袋材であって、対向する中央部内壁を上辺部から下辺部に渡って帯状に接合して分離壁とし、該分離壁を挟んで左右に第１および第２区分室を形成し、各区分室に互いに混合される二液を分離して長期保存可能に収納可能であるとともに、二液を収納する各区分室を外部から押圧して分離壁の接合を解除して二液を一つの収納袋内で混合可能であって、上記分離壁で分離された一方の第１区分室にアルカリ性次亜塩素酸塩又は亜塩素酸塩水溶液を収納する一方、他方の第２区分室に塩酸を含むｐＨ調整剤の水溶液を収納し、第１の区分室の次亜塩素酸塩又は亜塩素酸塩水溶液と第２の区分室の塩酸を含むｐＨ調整剤の水溶液を混合して酸性化するとともに希釈すると、ｐＨ５．０から６．５までの塩酸酸性の、５０ｐｐｍから１万ｐｐｍの次亜塩素酸又は亜塩素酸水溶液が作成されるように、前記次亜塩素酸塩又は亜塩素酸塩水溶液と塩酸水溶液とを調整して第１区分室と第２区分室に収容し、所望時にその収納袋の押圧により分離壁を開放して二液混合し、ｐＨ５．０から６．５に調整された、５０ｐｐｍから１万ｐｐｍの濃度の次亜塩素酸又は亜塩素酸水溶液を作成可能であるとともに、混合時に発生する塩素ガスを袋内に閉じ込めて混合水溶液中に吸収可能であることを特徴とする二液混合型弱酸性次亜塩素酸又は亜塩素酸水溶液容器。
【請求項２】
上記分離壁で区分される第１区分室と第２区分室とがほぼ等容量を備え、いずれか一方に１００ｐｐｍから２万ｐｐｍの所定量のアルカリ性次亜塩素酸塩又は亜塩素酸塩水溶液を収納し、他方の区分室に次亜塩素酸塩又は亜塩素酸塩水溶液を２倍希釈してｐＨ５．０から６．５に調整された、５０ｐｐｍから１万ｐｐｍの濃度の次亜塩素酸又は亜塩素酸水溶液を袋内で調整し、混合時に発生する塩素ガスを吸収化可能である請求項１記載の二液混合型弱酸性次亜塩素酸又は亜塩素酸水溶液容器。
【請求項３】
上記次亜塩素酸塩又は亜塩素酸塩水溶液がｐＨ１３ないし１４の高ｐＨ水溶液である請求項１記載の二液混合型弱酸性次亜塩素酸又は亜塩素酸水溶液容器。
【請求項４】
上記次亜塩素酸又は亜塩素酸水溶液が第１区分室に収納された固形次亜塩素酸塩又は亜塩素酸塩とそこに注入される水とにより１００ｐｐｍから２万ｐｐｍの次亜塩素酸塩又は亜塩素酸塩水溶液に調整される請求項２又は３記載の二液混合型次亜塩素酸又は亜塩素酸水溶液容器。
【発明の詳細な説明】
【技術分野】
【０００１】
本発明は、所望濃度の次亜塩素酸又は亜塩素酸水溶液を使用直前に容易に作成可能に、二液を収納する二液混合型次亜塩素酸又は亜塩素酸水溶液容器に関するものである。
【背景技術】
【０００２】
近年、災害時の備蓄用品として次亜塩素酸又は亜塩素酸水溶液の消毒液が待望されており、飛躍的に伸びている（特許文献１、特許文献２）。しかしながら、次亜塩素酸又は亜塩素酸水溶液の活性率は経時変化が激しく、備蓄用品には馴染まない。その原因は水溶液のｐＨ変化による次亜塩素酸又は亜塩素酸濃度の変化が原因と考えられる。
【０００３】
そこで、４０００ｐｐｍの次亜塩素酸又は亜塩素酸水溶液を調製し、検査した。はじめの１日目にイオン交換水でｐＨ５の水溶液がイオン交換水を使用して調製したものはｐＨ４．６５、水道水でｐＨ４．５６まで低下し、４日目にはどちらもおよそｐＨ４．１まで低下し、その後は横ばいで推移するが、３８日目にはどちらもｐＨ３．８程度まで下がり、その後は緩やかな上昇を示すことがわかった（図２）。このような傾向は１０００ｐｐｍ以上で見られ、２０００ｐｐｍ以上では激しいことがわかった。
【先行技術文献】
【特許文献】
【０００４】
【特許文献１】特開２０１１−１７３８５８号公報
【特許文献２】特開２０１５−７１５８１号公報
【発明の開示】
【発明が解決しようとする課題】
【０００５】
そこで、使用直前に所望濃度の次亜塩素酸又は亜塩素酸水溶液を所要量作成することが要求される。ところが、現状では高濃度の次亜塩素酸ナトリウムと高濃度の塩酸を希釈水で希釈しながら二液混合して所望濃度の次亜塩素酸水溶液を供給する希釈装置を用いるか、または高濃度の塩酸酸性次亜塩素酸又は亜塩素酸水溶液を水道水で希釈する器具が用いられる。
【０００６】
前者は希釈装置が高価であって、災害時の備蓄用には適さない。
後者は災害時には水道水が自由に使えなかったり、希釈用次亜塩素酸又は亜塩素酸水溶液は容器は小さくても１０ないし２０リットルにもなる。しかも次亜塩素酸ナトリウム水溶液のままでは殺菌力がないので、酸性化してその殺菌力を８０倍以上とする（図３）と、経時劣化もあるので災害備蓄用には適さない。
【０００７】
したがって、使用直前に次亜塩素酸又は亜塩素酸ナトリウムと塩酸を混合して弱酸性次亜塩素酸又は亜塩素酸水溶液を作成して使用することが必要となるが、二液を混合して弱酸性次亜塩素酸又は亜塩素酸水溶液とするためにはｐＨ３  以下、好ましくはｐＨ１〜２の塩酸水溶液を使用しなければならず、混合時にはどうしてもｐＨ４以下を経過するので、塩素ガスの発生は避けられない。
【０００８】
本発明は上記問題に鑑みてなされたものであり、長期備蓄に馴染まない次亜塩素酸又は亜塩素酸水溶液を二液混合型として分離して保存し、長期取扱いが可能とすると共に、二液混合型の混合時の塩素ガス発生問題も解消できる二液混合型次亜塩素酸又は亜塩素酸水溶液容器を提供することを課題とするものである。
【課題を解決するための手段】
【０００９】
本発明に係る二液混合型次亜塩素酸又は亜塩素酸水溶液容器は、上記目的を解決するため、端部に開閉可能な栓部材を備える一つの合成樹脂製袋材を混合容器として用意し、混合時に内部で発生する塩素ガスを閉じ込め、吸収して回収できるようにするとともに、対向する中央部合成樹脂製内壁を上部から下部に渡って帯状に接合して分離壁とし、分離壁を挟んで左右に第1および第2区分室を形成し、互いに混合される二液を分離して収納可能とし、長期保存を可能とする。そしてその分離壁は、外部から袋を押圧して分離壁の接合を解除して二液を一つの収納袋内で混合するようにすると、使用直前に少量の、５０ｐｐｍから１万ｐｐｍの次亜塩素酸又は亜塩素酸水溶液が作成され、同時に発生する塩素ガスを容器内で次亜塩素酸又は亜塩素酸水溶液に吸収させることができることに着目してなされたもので、
端部に開閉可能な栓部材を備え、外層に紫外光等を遮蔽する光遮蔽シートを備える方形の合成樹脂製袋材であって、対向する中央部内壁を上辺部から下辺部に渡って帯状に接合して分離壁とし、該分離壁を挟んで左右に第１および第２区分室を形成し、各区分室に互いに混合される二液を分離して長期保存可能に収納可能であるとともに、二液を収納する各区分室を外部から押圧して分離壁の接合を解除して二液を一つの収納袋内で混合可能であって、上記分離壁で分離された一方の第１区分室に次亜塩素酸塩又は亜塩素酸塩水溶液を収納する一方、他方の第２区分室に塩酸を含むｐＨ調整液の水溶液を収納し、第１の区分室の次亜塩素酸塩又は亜塩素酸塩水溶液と第２の区分室の塩酸水溶液を混合して酸性化するとともに希釈すると、ｐＨ５．０から６．５の塩酸酸性の、５０ｐｐｍから１万ｐｐｍの次亜塩素酸又は亜塩素酸水溶液が作成されるように、前記次亜塩素酸塩又は亜塩素酸塩水溶液と塩酸水溶液とを調整して第１区分室と第２区分室に収容し、所望時にその収納袋の押圧により分離壁を開放して二液混合し、ｐＨ５．０から６．５に調整された、５０ｐｐｍから１万ｐｐｍの濃度の次亜塩素酸又は亜塩素酸水溶液を作成可能であるとともに、混合時に発生する塩素ガスを袋内に閉じ込めて混合水溶液中に吸収可能であることを特徴とする二液混合型弱酸性次亜塩素酸又は亜塩素酸水溶液容器を要旨とする。
【発明の効果】
【００１０】
本発明によれば、次亜塩素酸塩又は亜塩素酸塩と塩酸とを長期保存可能な状態に分離して収納するので、長期保存性に優れる。また、ｐＨ５から６．５の、５０ｐｐｍから１万ｐｐｍまでの濃度の次亜塩素酸又は亜塩素酸水溶液を作成するにはｐＨ３以下、通常ｐＨ１から２の塩酸水溶液を使うので、二液混合直後はｐＨ４以下となり、塩素ガスが発生するが、袋詰め容器内でこれを閉じ込めるので、作成される次亜塩素酸又は亜塩素酸水溶液に塩素ガスは吸収され、開栓時に塩素ガスが放出される危険はない。しかも、５００ｍリットルや１０００ｍリットルの少量の弱酸性次亜塩素酸又は亜塩素酸水溶液を使用直前に容易に作成できるので経時変化も極めて少なく所望の濃度の水溶液を使用できるので便利である。
【００１１】
上記分離壁で区分される第１区分室と第２区分室とはほぼ等容量とするのが２倍希釈により所望の濃度が調合が容易である。したがって、５０ｐｐｍから１万ｐｐｍの次亜塩素酸又は亜塩素酸水溶液を作るには、１００ｐｐｍから２万ｐｐｍの次亜塩素酸塩又は亜塩素酸塩水溶液を等量のｐＨ１〜２の塩酸水溶液で2倍希釈すると、ｐＨ５．０から６．５の塩酸酸性次亜塩素酸又は亜塩素酸水溶液を調整でき、十分な殺菌力を示すことができる。
【００１２】
上記第１区分室の次亜塩素酸塩又は亜塩素酸塩水溶液はｐＨ１３ないし１４の高ｐＨ水溶液であるのが長期保存に優れる。
【００１３】
上記次亜塩素酸又は亜塩素酸水溶液は第1区分室に収納される固形次亜塩素酸塩又は亜塩素酸塩を定量しておくと、そこに注入される水は第1区分室の容量で計量できるので、正確に１００ｐｐｍから２万ｐｐｍの次亜塩素酸塩又は亜塩素酸塩水溶液を提供でき、長期保存性にすぐれるだけでなく、作成手順が容易である。
【図面の簡単な説明】
【００１４】
【図１】本発明に係る二液混合型次亜塩素酸容器の斜視図である。
【図２】４０００ｐｐｍと２００ｐｐｍの次亜塩素酸又は亜塩素酸水溶液のｐＨ変化を示すグラフである。
【図３】塩素化合物の殺菌力を示すグラフである。
【発明を実施するための形態】
【００１５】
図１は本発明に係る二液混合型容器の基本的な構造を示すものであり、１はアルミ蒸着ＰＥＴまたはアルミシート（１０から１５μ）とポリエチレン（５０〜７０μ）からなる二層樹脂シート、又は中間に延伸ナイロン（２０〜３０μ）と挟んでなる三層樹脂シートから構成した容器本体であり、一枚のシートを折って重ね合わせ、残りの三辺を溶着し、隅部にねじ式開閉栓３を設けた矩形袋体を構成する。袋材の外層は遮光性を持たせ、シートの透湿率は（０．１ｇ／ｍ2・日）以下の低透湿率とするのがよい。
【００１６】
３は上記容器本体１の中腹部を横断する長さを有するセンターバリアテープで、イージーオープン材（１０〜２０μ）特殊ナイロンフィルム（２０〜３０μ）イージーオープン材（１０〜２０μ）で構成され、破断強度を袋押圧力との関係で設定することができ、押圧力１ｋｇ／ｃｍ2以上、好ましくは５ｋｇ／ｃｍ2以上に設定しておくのがよい。センターバリアテープの位置によって第１区分室１ａと第2区分室１ｂとの容量区分を設定することができる。等量区分、2対１区分等種々の区分率が選択される。
【００１７】
ここでは、全体容量を５００ｍリットルとし、第１区分室１ａと第２区分室１ｂとを等量区分し、第１区分室１ａに４００ｐｐｍｍの次亜塩素酸ナトリウム水溶液２５０ｍリットルを調整して封入する。第２区分室には０．８５％の塩酸水溶液２５０ｍリットルを調整して封入する。袋を押圧してセンターバリアテープ３を破断し、二液を混合するとｐＨ５から６の塩酸酸性２００ｐｐｍ次亜塩素酸水溶液が得られる。ここでは次亜塩素酸ナトリウムを用いて次亜塩素酸水溶液を調製したが、その他のアルカリ金属塩、アルカリ土類金属塩が使用でき、各種保存剤を添加しておいてもよい。また、次亜塩素酸及び次亜塩素酸塩の代わりに亜塩素酸及び亜塩素酸塩を用いることも可能である。
【００１８】
以上述べたように本発明に係る二液混合型容器は、外層を遮光性とした合成樹脂シートを重ね合わせ構成した容器本体の中腹部を、該容器本体の両面側から三層センターバリアテープで結合封鎖して隔絶した二つの収容室を構成すると共に、一方の収容室に二液混合型次亜塩素酸塩又は亜塩素酸塩水溶液を、他方の収容室にｐＨ１〜２の塩酸水溶液を隔離収容した構造にしたことにより、所望濃度の次亜塩素酸又は亜塩素酸水溶液の長期保存供給を実現することができると共に、混合するための特別な容器を必要としない等の優れた特徴を有するものであり、実用的効果は極めて大きい。
【００１９】
なお、上記では塩酸をｐＨ調整剤とした例について説明したが、コハク酸、酢酸等の他のｐＨ調整剤を用いることもできる。
【図１】
2018070259.tif 000003
【図２】
2018070259.tif 000004
【図３】
2018070259.tif 000005